(57)【要約】【課題】蛍光灯の安定器から発生する雑音を部品を追加することなく低減する。【解決手段】逆富士形反射板付の直管形蛍光灯器具であり、放電灯安定器が経年劣化により、騒音を発生するようになっても、逆富士形反射板に騒音を発生する放電灯安定器と直管形蛍光ランプとの至近の場所に貫通穴を設定することにより、部品を追加することなく、放電灯安定器から発生する騒音が外部にもれる量を低減できるようになり、安価にして効果あげることができるようになる。【選択図】        図１
2010287425.tif 000002
【特許請求の範囲】
【請求項１】
密閉状態を形成する筺体と該筺体の内部に騒音発生源がある装置において、該筺体上に該騒音発生源と
至近の場所に多孔質の貫通穴を該密閉筺体の外に漏れる騒音を減音できる設計条件を満足させながら
設定することを特徴とする筺体。
【請求項２】
逆富士形反射板を備え、該逆富士形反射板の上に該逆富士形反射板の内部の騒音発生源と直管形蛍光
ランプとの至近の場所に貫通穴を該逆富士形反射板の外に漏れる騒音を減音できる設計条件を満足させ
ながら設定することを特徴とする直管形蛍光灯器具。
【請求項３】
前期貫通穴が前期直管形蛍光ランプの中心から前期逆富士形反射板に垂線をおろした位置の近くに
設定することを特徴とする請求項２に記載の直管形蛍光灯器具。
【請求項４】
前期貫通穴が多数の開口部を有する構造であることを特徴とする請求項２または請求項３に記載の
直管形蛍光灯器具。
【請求項５】
前期貫通穴と前期直管形蛍光ランプの間に板状で両わきが開放状態の防音カバーを設定することを特徴と
する請求項２ないし請求項４に記載の直管形蛍光灯器具。
【発明の詳細な説明】
【技術分野】
【０００１】
本発明は、直管形蛍光ランプを用いかつ逆富士形反射板を用いた直管形蛍光灯器具に関するものである。
【背景技術】
【０００２】
逆富士形反射板付の直管形蛍光灯器具は既知である（特許文献１）。
【０００３】
蛍光灯器具の放電灯安定器が磁界の影響で振動するのに伴い騒音が大きくなるという問題点
があることは既知であり、この改善策として、騒音を抑制するために、コイルボビンに
巻装されたコイルの外周面と、一対のＥ型積層鉄心の突き合わされた側脚先端部との間の隙間に
接着剤を注入する方法や、放電灯安定器の固定する力を強くする方法は既知である（特許文献２）。
【０００４】
また、放電灯用安定器の電磁部分の両端部を各端板により支持し、電磁部分をケースに
触れないようにし、振動が直接ケースに伝わることがなしく、騒音を低くする方法は
既知である（特許文献３）。
【０００５】
騒音低減の方法として、外装板と多数の貫通穴を有した内装板とを対向配置して形成
した多孔質防音構造体により、広い周波数帯域幅で十分な吸音性能を確実に発揮することは
既知である（特許文献４）。
【０００６】
また、自動車等において、多数の開口部を有する穴開き板と、その穴開き板と所定の間隙を
設けて空気層が形成されている防音カバーは既知である（特許文献５）。
【０００７】
また、掃除機等に用いる防音板に複数の空気の通る穴部を設けることにより高周波数域の騒音を
消音できることは既知である（特許文献６）。
【先行技術文献】
【特許文献】
【０００８】
【特許文献１】特開平１０−６９８１０号公報
【特許文献２】特開２０００−３５７６１８号公報
【特許文献３】特開平８−１４８３５７号公報
【特許文献４】特開２００６−８５１８４号公報
【特許文献５】特開平１１−２１７０８６号公報
【特許文献６】特開平７−１２４０８１号公報
【発明の概要】
【発明が解決しようとする課題】
【０００９】
しかしながら、放電灯安定器の隙間に注入した接着剤が経年劣化し、交流電流により発生した交流磁界が
鉄板同士を振動させ「ジー」という騒音を発するようになる。また、放電灯安定器のみを交換することは
想定されていないので、騒音が気になる場合は、蛍光灯本体を交換しなければならない問題がある。
【００１０】
また、逆富士形反射板を用いた直管形蛍光灯器具では、天井と逆富士形反射板により
密閉された空間では放電灯安定器より発生した「ジー」という騒音が共鳴振動により騒音レベルが
高くなるという問題も発生する。この対策として、逆富士形反射板の内側に吸音材を設ける対策
も考えられが、価格が高くなる問題がある。
【００１１】
従って本発明は、放電灯安定器が経年劣化により、騒音を発生するようになっても、
新規の部品を追加することなく、放電灯安定器から発生する騒音をその騒音の周波数帯域幅で
十分な吸音性能を確実に発揮する防音構造体を提供するものである。
【課題を解決するための手段】
【００１２】
上記の目的を達成するため、本発明の請求項１に記載の密閉状態を形成する筺体と該筺体の内部に
騒音発生源がある装置において、該筺体上に該騒音発生源と至近の場所に多孔質の貫通穴を該密閉筺体の
外に漏れる騒音を減音できる設計条件を満足させながら設定することを備えたことを特徴とする筺体で
あり、この発明により筺体外部に放出される騒音の時間のずれ、または位相のずれにより騒音を低減
できるようになる。
【００１３】
また、上記の目的を達成するため、本発明の請求項２に記載の逆富士形反射板を備え、
該逆富士形反射板の上に該逆富士形反射板の内部の騒音発生源と直管形蛍光ランプとの至近の場所に
貫通穴を該逆富士形反射板の外に漏れる騒音を減音できる設計条件を満足させながら設定する
ことを備えたことを特徴とする直管形蛍光灯器具であり、この発明により直管形蛍光灯器具の
外部に放出される騒音の時間のずれ、または位相のずれにより騒音を低減できるようになる。
【００１４】
また、上記の目的を達成するため、本発明の請求項３に記載の前期貫通穴が前期直管形蛍光ランプの
中心から前期逆富士形反射板に垂線をおろした位置の近くに設定することを備えたことを特徴とする
直管形蛍光灯器具であり、該貫通穴が直管形蛍光ランプに隠れ、騒音低減に効果が大きくなる。
【００１５】
また、上記の目的を達成するため、本発明の請求項４に記載の前期貫通穴が多数の開口部を有する構造を
備えたことを特徴とする直管形蛍光灯器具であり、多数の開口部とすることにより騒音を効率良く
低減できるようになる。
【００１６】
また、上記の目的を達成するため、本発明の請求項５に記載の前期貫通穴と前期直管形蛍光ランプの間に
板状で両わきが開放状態の防音カバーを設定することを備えたことを特徴とする直管形蛍光灯器具であり、
防音カバーを設けることにより騒音を効率良く低減できると同時に、騒音低減の指向特性を
改善できるようになる。
【発明の効果】
【００１７】
本発明は逆富士形反射板付の直管形蛍光灯器具であり、放電灯安定器が経年劣化により、
騒音を発生するようになっても、新規の部品を追加することなく、放電灯安定器から発生する
騒音が外部にもれる量を低減できるようになり、安価にして効果あげることとなる。
さらに、所要の貫通穴を逆富士形反射板に設けたので、逆富士形反射板と天井とにより
密閉された空間の温度上昇が少なくなり、放電灯安定器の経年劣化を少なくすることができる。
【図面の簡単な説明】
【００１８】
【図１】本発明に係る直管形蛍光灯器具を示す断面図である。
【図２】従来の直管形蛍光灯器具を示す断面図である。
【図３】本発明に係る直管形蛍光灯器具本体等を斜め下方より見た要部斜視図である
【図４】図１器具の要部を示す拡大断面図である。
【図５】本発明の第２の実施例における直管形蛍光灯器具を示す断面図である。
【発明を実施するための形態】
【００１９】
本発明の実施の形態を図１ないし図５に基づいて以下に説明する。
【実施例１】
【００２０】
本実施形態の直管形蛍光灯器具は、図１に示すように器具本体１を備える。
器具本体１の下部中央に着脱自在な逆富士形反射板３を備える。器具本体１は狭い幅で
長尺な逆樋状のものであり、反射板取付金具・ランプソケット５が付属する。
器具本体１下面に装着された図外の点灯回路部品も付属する。天井直付けの場合に図外の
天井面に当たる天井当接部２１を持つ。反射板取付金具２は複数であって、器具本体１
長手方向に添って飛び飛びに配置される。ランプソケット５には直管形蛍光ランプ６が
装着される。本実施形態のそれは２灯である。逆富士形反射板３はＶ字状である。
器具本体１下面に放電灯安定器５１が装着される。逆富士形反射板３は直管形蛍光
ランプ７から中央寄りに出る光を下向き光に転向する。
【００２１】
逆富士形反射板３の上には、放電灯安定器５１と直管形蛍光ランプ６との両方から
至近の距離に貫通穴５０を形成する。貫通穴５０の大きさと開口率は逆富士形反射板３の
板厚に応じ放電灯安定器５１からの騒音を減音できる設計条件を満足するように設定
される。
【００２２】
放電灯安定器５１からの騒音を減音できる設計条件を満足するように設定するために
逆富士形反射板３の上の貫通穴５０は１個でできる場合もあり、複数個設ける場合も
ある。貫通穴５０の穴径や開口率も騒音の周波数分布により最適な設定をされる。
【００２３】
逆富士形反射板３の上の貫通穴５０は、図２に示すように放電灯安定器５１から至近の
距離に設け、なおかつ、図１に示すように直管形蛍光ランプの中心６０から逆富士形反射板３に
垂線をおろした付近に設定される。
【００２４】
上記の構成において、騒音を減音できる理由について説明する。先ず、逆富士形反射板３の
上に貫通穴５０を設定しない場合は、図２に示すように逆富士形反射板３と天井との密閉
空間内で放電灯安定器５１から発生した逆富士形反射板内部騒音５２が逆富士形反射板３を
振動させて逆富士形反射板通過騒音５３として直管形蛍光灯器具の外部に放出される。
次に、放電灯安定器５１の至近の場所に逆富士形反射板３の上に貫通穴５０を設定した場合は、
図４に示すように、放電灯安定器５１から発生した逆富士形反射板内部騒音５２が
逆富士形反射板３を振動させて逆富士形反射板通過騒音５３として直管形蛍光灯器具の外部に
放出される騒音と、貫通穴５０を通過して貫通穴通過騒音５４として直管形蛍光灯器具の外部に
放出される騒音とに分けられ、逆富士形反射板通過騒音５３のレベルが低減し、
逆富士形反射板通過騒音５３と貫通穴通過騒音５４との時間差または位相差により
騒音を減ずることができる。また、貫通穴５０を直管形蛍光ランプの中心６０から逆富士形
反射板３に垂線をおろした付近に設定することにより、逆富士形反射板通過騒音５３が
直管形蛍光ランプ６に反射され騒音を減少することに効果がある。
また、図３では、貫通穴５０を直管形蛍光ランプの中心６０から逆富士形反射板３に垂線を
おろした線上に配置する状態を示したが、その線上に配置した貫通穴５０以外にその線上から
ずれた位置にも貫通穴５０を設定して開口部分が面状の構造にしてもよい。
【実施例２】
【００２５】
以下本発明の第２の実施例について図面を参照しながら説明する。図５に示すように、
逆富士形反射板３の上に、放電灯安定器５１から至近の距離であり、かつ、直管形蛍光ランプの
中心６０から逆富士形反射板３に垂線をおろした付近に形成した貫通穴５０と直管形蛍光ランプ６
との間に板状で両わきが開放状態の防音カバー６１を設定する。
防音カバー６１は、放電灯安定器５１からの騒音を減音できる設計条件を満足するように設定
される。また、図５において、防音カバーを逆富士形反射板３に平行となる構造を示しているが、
騒音低減の指向特性を改善するために、天井等の取り付け面に可能な限り平行となる構造
としてもよい。
【産業上の利用可能性】
【００２６】
密閉筺体の内部に騒音発生源がある装置の密閉筺体上の騒音発生源近くにた多孔質の貫通穴を
騒音を減音できる設計条件を満足させながら設定することにより、逆富士形反射板付の
直管形蛍光灯器具以外の用途にも適用できる。
【符号の説明】
【００２７】
１ ：器具本体
３ ：逆富士形反射板
５ ：ランプソケット
６ ：直管形蛍光ランプ
21 ：天井当接部
50 ：貫通穴
51 ：放電灯安定器
52 ：逆富士形反射板内部騒音
53 ：逆富士形反射板通過騒音
54 ：貫通穴通過騒音
55 ：直管形蛍光ランプ反射騒音
60 ：直管形蛍光ランプの中心
61 ：防音カバー
【図１】
2010287425.tif 000003
【図２】
2010287425.tif 000004
【図３】
2010287425.tif 000005
【図４】
2010287425.tif 000006
【図５】
2010287425.tif 000007